(57)【特許請求の範囲】
【請求項１】
画像メモリと、画像メモリに係るデータを通信手段を介して授受する通信部と、画像データを記録する記録部と、原稿画像を読み取る画像読み取り部とを備える通信端末装置において、
前記通信用のコーデイックと、前記画像メモリに設けられる画像記憶部、フオントイメージバッフア及び通信用バッフアと、前記画像メモリの画像記憶部に記憶する文字をイメージに変換する手段と、前記画像読み取り部で読み取ったイメージを記憶するイメージメモリと、前記通信用のコーデイックとは異なる第２のコーデイックとを備え、
前記変換された文字のイメージ画像を前記通信用のコーデイックで符号化して、前記通信用バッフアに格納し、その後、原稿画像のイメージを前記イメージメモリから、前記通信用のコーデイックに入力して符号化し、前記通信用バッフアに格納するとともに、
前記画像読み取り部で読み取った原稿画像のイメージを、あるいは前記画像メモリのデータを前記第２のコーデイックを経て、前記イメージメモリに蓄積し、この蓄積データを前記記録部で記録するようにしたことを特徴とする通信端末装置。
【発明の詳細な説明】
【０００１】
【発明の属する技術分野】
この発明は、ファクシミリ装置、ファックス機能・複写機能などの多機能を有する複合機などの通信端末装置に関する。
【０００２】
【従来の技術】
一般に、ファクシミリ装置などの通信端末装置では、画像読み取り部で原稿を読み取る機能、読み取った原稿や記憶しているデータを送信し、あるいは受信する通信機能、読み取り原稿や受信データ等をプリントする機能を備えている。
【０００３】
この種のファクシミリ装置において、原稿画像を読み取り、ファックス送信する場合、ＴＴＩ処理（発信元を付加する）を行っている。このＴＴＩ処理は、従来、システムの画像メモリに発信元の文字をイメージ変換してイメージを作成し、スキャナあるいは通信用コーディック（ＣＯＤＥＣ）で、イメージメモリにデータを転送し、イメージメモリからコーディックで符号化して、画像メモリのＥＣＭバッファに蓄積している。そして、このＥＣＭバッファの続きに読み取った原稿画像を符号化して行くようにしている。
【０００４】
【発明が解決しようとする課題】
上記した画像読み取り機能、通信機能、プリント機能を有するファクシミリ装置において、処理の迅速化から、これら複数の処理を同時に並行して動作させたい、との要望が出ている。これらの要望に応じるためには、画像読み取り、通信処理及びプリント処理のために、各々に符号化用のコーディックを設けることになる。しかし、少なくとも３つの異なる機能を同時に実行させるために、少なくとも３個のコーディックを設けることは、装置のコスト高をまねくという問題がある。
【０００５】
一方、従来のファクシミリ装置において、発信元を原稿画像に付加して送信する場合、イメージメモリで発信元をはる必要があると、その際に読み取り画像のプリントやリストプリントができないという問題がある。
【０００６】
この発明は上記問題点に着目してなされたものであって、スキャナリアルタイム送信中でも画像プリント、リストプリントが可能な通信端末装置を提供することを目的としている。
【０００７】
【課題を解決するための手段】
この発明の通信端末装置は、画像メモリと、画像メモリに係るデータを通信手段を介して授受する通信部と、画像データを記録する記録部と、原稿画像を読み取る画像読み取り部とを備えるものにおいて、前記通信用のコーデイックと、前記画像メモリに設けられる画像記憶部、フオントイメージバッフア及び通信用バッフアと、前記画像メモリの画像記憶部に記憶する文字をイメージに変換する手段と、前記画像読み取り部で読み取ったイメージを記憶するイメージメモリと、前記通信用のコーデイックとは異なる第２のコーデイックとを備え、前記変換された文字のイメージ画像を前記通信用のコーデイックで符号化して、前記通信用バッフアに格納し、その後、原稿画像のイメージを前記イメージメモリから、前記通信用のコーデイックに入力して符号化し、前記通信用バッフアに格納するとともに、前記画像読み取り部で読み取った原稿画像のイメージを、あるいは前記画像メモリのデータを前記第２のコーデイックを経て、前記イメージメモリに蓄積し、この蓄積データを前記記録部で記録するようにしている。
【０００８】
この通信端末装置では、ＴＴＩのイメージ変換したものをイメージメモリに張らずに通信用のコーディックを経て通信バッファに格納し、続く読み取り画像データはイメージメモリより、通信用コーディックの異なる入力を経て、通信用バッファに格納するので、並列的に画像プリント、リストプリントなどを実行できる。
【０００９】
【発明の実施の形態】
以下、実施の形態により、この発明をさらに詳細に説明する。図１は、この発明が実施されるファクシミリ装置の構成を示すブロック図である。このファクシミリ装置は、ＣＰＵ（制御部）１、ＮＣＵ２、ＭＯＤＥＭ３、ＲＯＭ４、ＳＲＡＭ５、画像メモリ（ＳＤＲＡＭ）６、操作部７、プリンタ／スキャナ用のＣＯＤＥＣ８、通信用のＣＯＤＥＣ９、表示部１０、ＣＣＤスキャナ１１、スキャナ処理部１２、イメージメモリ（ＳＤＲＡＭ）１３、画像処理部１４、プリンタ制御部１５、ＬＥＤプリンタ１６、バス１７を備える。
【００１０】
ＣＰＵ１は、この装置を構成する各部を制御する。ＮＣＵ２は、電話回線網（ＰＳＴＮ）１９との接続を制御するとともに、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９に従った送信データの変調及び受信データの復調を行う。更に、これらに加えて、Ｖ．３４に従って送信データの変調及び受信データの復調を行う。
【００１１】
ＲＯＭ４は、この装置を制御するためのプログラム、文字毎のイメージデータ等を記憶する。ＳＲＡＭ５は、データ等を一時的に記憶する。画像メモリ（ＳＤＲＡＭ）６は、ＥＣＭバッファ（通信用バッファ）、画像記憶部、フォントイメージバッファ等の記憶領域を有し、画像データを格納する。操作部７は、ユーザがＦＡＸ送信・受信、プリント、画像読み取り等の指示操作を行う。プリンタ／スキャナ用のＣＯＤＥＣ８は、画像データをプリントする場合、あるいは読み取ったがデータを画像メモリ６に格納する場合に、ＭＨ、ＭＲ、ＭＭＲ方式等により、符号化（エンコード）する。通信用のＣＯＤＥＣ９は、画データを送信するためにＭＨ、ＭＲ、ＭＭＲ方式等により符号化し、受信画データを復号（デコード）する。表示部１０は、キーボタン等の指令情報や警告情報、その他の情報を表示する。
【００１２】
ＣＣＤスキャナ１１は、ＦＡＸ送信するとき、あるいは複写するときに、原稿の画データを読み取る。スキャナ処理部１２は、ＣＣＤスキャナ１１で読み取られた原稿を画像処理し、イメージメモリ１３、画像メモリ６に記憶させる。
【００１３】
イメージメモリ１３は、ＣＣＤスキャナ１１で読み取られた画像、画像メモリ６から伝送を受けたイメージデータ等を記憶する。画像処理部１４は、スキャナ制御部１２、イメージメモリ１３、プリンタ制御部１５間、及びバス１７に接続される各部間に係る画像処理を行う。プリンタ制御部１５は、ＬＥＤプリンタ１６のプリント制御を実行する。
【００１４】
この実施形態ファクシミリ装置において、発信元名付きのＦＡＸ送信を行う場合について説明する。画像メモリ６のフォントイメージバッファに記憶されているＴＴＩ（発信元）のイメージは、通信用コーディック９に入力される。つまり、ここではＴＴＩ（発信元）をイメージメモリ１３に張ることなく、画像メモリ６からＴＴＩを通信用のコーディック９に入力し、符号化し、画像メモリ６に戻し、画像メモリ６中のＥＣＭバッファ（通信バッファ）に記憶する。続いて、ＣＣＤスキャナ１１で読み取られた原稿画像は、画像処理部１４を経て、イメージメモリ１３に記憶される。そして、画像処理部１４より、通信用のコーディック９に入力され、符号化されて、画像メモリ６にＥＣＭバッファのＴＴＩの後方に記憶される。ＥＣＭバッファのＴＴＩ及び読み取り画像データは、ＭＯＤＥＭ３、ＮＣＵ２を介して送出される。図２において、ＴＴＩのデータの流れと、原稿読み取り画像データの流れを示している。図２において、実線Ａで示すルートがＴＴＩのデータの流れを、破線Ｂで示すルートが原稿画像読み取りのデータの流れを示している。
【００１５】
スキャナ送信中にリストプリントを行う場合には、画像メモリ６のデータがプリンタ／スキャナ用コーディック８を経て、イメージメモリ１３に送られ、プリンタ１６でプリントされる。また、イメージメモリ１３に格納された読み取りデータをプリントする場合も、データが画像処理部１４、プリンタ制御部１５を経て、プリンタ１６に送られ、プリントされる。
【００１６】
【発明の効果】
この発明によれば、通信用のコーデイックと、前記画像メモリに設けられる画像記憶部、フオントイメージバッフア及び通信用バッフアと、前記画像メモリの画像記憶部に記憶する文字をイメージに変換する手段と、前記画像読み取り部で読み取ったイメージを記憶するイメージメモリと、前記通信用のコーデイックとは異なる第２のコーデイックとを備え、前記変換された文字のイメージ画像を前記通信用のコーデイックで符号化して、前記通信用バッフアに格納し、その後、原稿画像のイメージを前記イメージメモリから、前記通信用のコーデイックに入力して符号化し、前記通信用バッフアに格納するとともに、前記画像読み取り部で読み取った原稿画像のイメージを、あるいは前記画像メモリのデータを前記第２のコーデイックを経て、前記イメージメモリに蓄積し、この蓄積データを前記記録部で記録するようにしているので、スキャナリアルタイム送信中でも画像プリント、リストプリントを並行して行うことができる。
【図面の簡単な説明】
【図１】この発明の一実施形態であるファクシミリ装置の構成を示すブロック図である。
【図２】上記実施形態ファクシミリ装置におけるＴＴＩデータと、原稿画像読み取り時のデータの流れ経路を示す図である。
【符号の説明】
１      ＣＰＵ
２      ＮＣＵ
３      ＭＯＤＥＭ
４      ＲＯＭ
５      ＳＲＡＭ
６      画像メモリ
７      操作部
８      プリンタ／スキャナ用のＣＯＤＥＣ
９      通信用のＣＯＤＥＣ
１０    表示部
１１    ＣＣＤスキャナ
１２    スキャナ処理部
１３    イメージメモリ
１４    画像処理部
１５    プリンタ制御部
１６    ＬＥＤプリンタ
１７    バス
１９    電話回線
【図１】
0003685129.tif 000002
【図２】
0003685129.tif 000003